(57)【要約】【課題】装置を適した方向に持ち替えた場合に、この操作によって動画の内容を見失うことを防止できるようにする。【解決手段】まず、再生される動画の天地方向の情報を取得する。直前の動画の再生が終了した後に引き続き次の動画を再生する際に、動画の天地方向と、検出された姿勢とが一致する場合には、直前の動画の表示に引き続き次の動画を表示し、動画の上下方向と、検出された姿勢とが一致しない場合には、直前の動画の表示に引き続き次の動画の最初のフレーム画像を停止された状態で表示するように制御する。【選択図】図２
2014110562.tif 000002
【特許請求の範囲】
【請求項１】
動画を再生する再生手段と、
前記再生手段によって再生された動画を表示部に表示制御手段と、
前記表示部の姿勢を検出する検出手段と、
前記再生手段によって再生される動画の上下方向の情報を取得する取得手段とを備え、
前記表示制御手段は、前記再生手段によって第１の動画を再生した後に引き続き第２の動画を再生する際に、前記第２の動画の上下方向と、前記検出手段によって検出された姿勢とが一致する場合には、前記第１の動画の表示に引き続き前記第２の動画を表示し、前記第２の動画の上下方向と、前記検出手段によって検出された姿勢とが一致しない場合には、前記第１の動画の表示に引き続き前記第２の動画を停止した状態で表示するように制御することを特徴とする動画再生装置。
【請求項２】
前記第２の動画が停止した状態で表示されてから、前記検出手段によって前記表示部の姿勢の変化が検出された場合に、前記第２の動画の上下方向と、前記検出手段によって検出された姿勢とが一致した場合には、前記第２の動画の停止した状態を解除して前記第２の動画を表示することを特徴とする請求項１に記載の動画再生装置。
【請求項３】
前記取得手段は、前記第２の動画の上下方向の情報を、前記第２の動画に付加された、当該第２の動画を撮影した時の撮像装置の姿勢を示す姿勢情報に基づいて取得することを特徴とする請求項１又は２に記載の動画再生装置。
【請求項４】
前記第１の動画の上下方向と、前記第２の動画の上下方向とが一致し、かつ、前記第２の動画を再生する際に前記第１の動画を再生していた時と前記表示部の姿勢が同じである場合には、前記表示制御手段は、前記第２の動画の上下方向と、前記検出手段によって検出された姿勢とが一致しない場合であっても、前記第２の動画を回転して表示するように制御することを特徴とする請求項１乃至３のいずれか１項に記載の動画再生装置。
【請求項５】
動画を再生する再生手段と、
前記再生手段によって再生された動画を表示部に表示する表示制御手段と、
前記表示部の姿勢を検出する検出手段と、
前記再生手段によって再生される動画の縦横の比の情報を取得する取得手段とを備え、
前記表示制御手段は、前記再生手段によって第１の動画を再生した後に引き続き第２の動画を再生する際に、前記第２の動画の縦横の比と、前記検出手段によって検出された姿勢における前記表示部の縦横の比とが一致する場合には、前記第１の動画の表示に引き続き前記第２の動画を表示し、前記第２の動画の縦横の比と、前記検出手段によって検出された姿勢における前記表示部の縦横の比とが一致しない場合には、前記第１の動画の表示に引き続き前記第２の動画を停止した状態で表示するように制御することを特徴とする動画再生装置。
【請求項６】
前記第２の動画が停止した状態で表示されてから、前記検出手段によって前記表示部の姿勢の変化が検出された場合に、前記第２の動画の縦横の比と、前記検出手段によって検出された姿勢における前記表示部の縦横の比とが一致した場合には、前記第２の動画の停止した状態を解除して前記第２の動画を表示することを特徴とする請求項５に記載の動画再生装置。
【請求項７】
前記取得手段は、前記第２の動画の縦横の比の情報を、前記第２の動画に付加された、当該第２の動画を撮影した時の撮像装置の姿勢を示す姿勢情報に基づいて取得することを特徴とする請求項５又は６に記載の動画再生装置。
【請求項８】
前記第１の動画の縦横の比と、前記第２の動画の縦横の比とが一致し、かつ、前記第２の動画を再生する際に前記第１の動画を再生していた時と前記表示部の姿勢が同じである場合には、前記表示制御手段は、前記第２の動画の縦横の比と、前記検出手段によって検出された姿勢における前記表示部の縦横の比とが一致しない場合であっても、前記第２の動画を回転して表示するように制御することを特徴とする請求項５乃至７のいずれか１項に記載の動画再生装置。
【請求項９】
前記表示制御手段は、前記第２の動画を停止した状態で表示する際に、さらに前記第２の動画の上下方向を示す方向アイコンを表示することを特徴とする請求項１乃至８のいずれか１項に記載の動画再生装置。
【請求項１０】
前記動画再生装置は、撮像手段を有する撮像装置であることを特徴とする請求項１乃至９のいずれか１項に記載の動画再生装置。
【請求項１１】
動画を再生する再生工程と、
前記再生工程において再生された動画を表示部に表示制御工程と、
前記表示部の姿勢を検出する検出工程と、
前記再生工程において再生される動画の上下方向の情報を取得する取得工程とを備え、
前記表示制御工程においては、前記再生工程において第１の動画を再生した後に引き続き第２の動画を再生する際に、前記第２の動画の上下方向と、前記検出工程において検出された姿勢とが一致する場合には、前記第１の動画の表示に引き続き前記第２の動画を表示し、前記第２の動画の上下方向と、前記検出工程において検出された姿勢とが一致しない場合には、前記第１の動画の表示に引き続き前記第２の動画を停止した状態で表示するように制御することを特徴とする動画再生装置の制御方法。
【請求項１２】
動画を再生する再生工程と、
前記再生工程において再生された動画を表示部に表示する表示制御工程と、
前記表示部の姿勢を検出する検出工程と、
前記再生工程において再生される動画の縦横の比の情報を取得する取得工程とを備え、
前記表示制御工程においては、前記再生工程において第１の動画を再生した後に引き続き第２の動画を再生する際に、前記第２の動画の縦横の比と、前記検出工程において検出された姿勢における前記表示部の縦横の比とが一致する場合には、前記第１の動画の表示に引き続き前記第２の動画を表示し、前記第２の動画の縦横の比と、前記検出工程において検出された姿勢における前記表示部の縦横の比とが一致しない場合には、前記第１の動画の表示に引き続き前記第２の動画を停止した状態で表示するように制御することを特徴とする動画再生装置の制御方法。
【請求項１３】
コンピュータを、請求項１乃至１０のいずれか１項に記載の動画再生装置の各手段として機能させるためのプログラム。
【請求項１４】
コンピュータを、請求項１乃至１０のいずれか１項に記載の動画再生装置の各手段として機能させるためのプログラムを格納したコンピュータが読み取り可能な記憶媒体。
【発明の詳細な説明】
【技術分野】
【０００１】
本発明は、特に、動画を快適に鑑賞するために用いて好適な動画再生装置、動画再生装置の制御方法、プログラム及び記憶媒体に関する。
【背景技術】
【０００２】
近年、デジタルカメラやビデオカメラだけでなく、携帯電話や音楽プレーヤーなどにカメラ部やＬＣＤモニタなどの表示部を具備することによって、静止画や動画を撮影したり鑑賞したりできるようになっている。また、自宅で録画したテレビ番組などの動画データを前述の機器に取り込み、外出先で鑑賞することも広く普及している。
【０００３】
デジタルカメラなどの撮像装置は、従来のテレビモニタなどの表示環境を考慮し、４：３ないし１６：９の横長の画像を取り扱うことを基準に設計されている。そのため、ＬＣＤなどで構成されるモニタ部も４：３ないし１６：９の長方形の画面であることが通常である。
【０００４】
図９は、デジタルカメラ９００の撮影姿勢の一例を示す図である。図９に示すように、デジタルカメラ９００を通常の姿勢で構えると横長の画像を撮影することができる。そのため、モニタ画面も撮影画像に合わせて横長となるように設計されている。以降、図９に示す撮影姿勢を横位置姿勢と呼び、横位置姿勢で撮影することによって得られる撮影画像を横位置画像と呼ぶ。
【０００５】
一方、図１０に示すように、横位置姿勢に対してデジタルカメラ９００を９０°回転させた姿勢で撮影することも多い。図１０に示す姿勢は、縦長の画像を撮影することを企図している。以降、この撮影姿勢を縦位置姿勢と呼び、縦位置姿勢で撮影することによって得られる撮影画像を縦位置画像と呼ぶ。
【０００６】
以上のように、デジタルカメラの構え方を変えることによって、横長の横位置画像と、縦長の縦位置画像とを撮影することができる。さらには、傾斜センサなどを用いてデジタルカメラの姿勢を検出し、どのような構え方で撮影されたかを示す情報（撮影時姿勢情報）として画像データにフラグ情報を付与し、後の画像再生や編集に利用する技術も知られている。
【０００７】
図１１から図１４は、デジタルカメラ９００で画像を表示している様子の一例を示す図である。
図１１は、横位置画像を横位置姿勢で表示している様子を示す図である。横位置姿勢で撮影された横位置画像は、デジタルカメラ９００を横位置姿勢にすることによってモニタ画面いっぱいに表示される。
【０００８】
図１２は、縦位置画像を横位置姿勢で表示している様子を示す図である。この場合、前述のフラグ情報を参照して画像を回転して縮小し、長辺長さがモニタ画面の短辺長さに適合する画像に変換する。そして、撮影時の画像の天地方向（上下方向）を、デジタルカメラ９００の天地方向（上下方向）に合わせて表示する。さらに、画像の短辺長さがモニタ画面の長辺長さに適合しないため、画像の左右に黒帯１２０１を追加して画像の縦横サイズを画面の縦横サイズに合わせる処理を行っていわゆるレターボックス表示を行う。
【０００９】
図１３は、縦位置画像を縦位置姿勢で表示する様子を示す図である。図１３に示す例では、画像の縦横サイズとモニタ画面の縦横サイズとが適合するため、モニタ画面いっぱいに画像を表示することができる。また、図１４は、横位置画像を縦位置姿勢で表示する様子を示す図である。図１４に示す例では、図１２に示した例と同様に、回転して縮小した横位置画像がレターボックス表示される。
【００１０】
以上のように、画像に付与された撮影時姿勢情報を用いることにより、再生時の機器姿勢に応じて表示画像の天地方向を変更することができる。なお、以上のような撮影姿勢の切替、及び撮影時姿勢情報を利用した画像再生方法は、静止画のみならず動画像にも適用でき、デジタルカメラ以外にも、ビデオカメラや携帯電話端末などでも同様に適用できる。また、表示画像の向きを機器の姿勢に合わせて回転する技術としては、以下の先行技術が開示されている。
【００１１】
特許文献１には、横長の表示画面に、横長の画像を表示する場合に、画像の長手方向と表示画面の長手方向とが直交する第１の表示姿勢と、画像の長手方向と表示画面の長手方向とが略一致する第２の表示姿勢とを切換可能にした技術が開示されている。この技術によれば、第１及び第２の表示姿勢は、機器の動作モードないし姿勢に応じて切り替わるようにしている。
【００１２】
また、特許文献２には、動画データの再生を停止している間に、装置の姿勢情報に基づいて画像を回転処理して表示する技術が開示されている。この技術では、再生開始後または再生開始してから所定時間経過後は、装置の姿勢に拠らず直前の画像表示方向のままに画像を表示し、画像回転を行わないようにしている。
【先行技術文献】
【特許文献】
【００１３】
【特許文献１】特開２００６−１６６２４８号公報
【特許文献２】特開２００８−６６９６７号公報
【発明の概要】
【発明が解決しようとする課題】
【００１４】
画像の全体を表示領域に収まるように変倍して表示する場合、横位置画像は図１１のように画像の天地方向をディスプレイの短手方向に合わせた向きで表示する方が、図１４のように天地方向を長手方向に合わせるよりも画像を大きく表示することができる。一方、縦位置画像は図１３のように画像の天地方向をディスプレイの長手方向に合わせた向きで表示する方が、図１２のように天地方向を短手方向に合わせるよりも画像を大きく表示することができる。このように画像を大きく表示させて鑑賞したい場合には、図１１、図１３のような姿勢にユーザーが再生装置を回転させた方が好適である。しかしながら、表示時間が数秒の動画の場合は、装置の姿勢を画像に合わせている間に再生が終了してしまい、十分に鑑賞できない可能性がある。
【００１５】
本発明は前述の問題点に鑑み、装置を適した方向に持ち替えた場合に、この操作によって動画の内容を見失うことを防止できるようにすることを目的としている。
【課題を解決するための手段】
【００１６】
本発明の動画再生装置は、動画を再生する再生手段と、前記再生手段によって再生された動画を表示部に表示制御手段と、前記表示部の姿勢を検出する検出手段と、前記再生手段によって再生される動画の上下方向の情報を取得する取得手段とを備え、前記表示制御手段は、前記再生手段によって第１の動画を再生した後に引き続き第２の動画を再生する際に、前記第２の動画の上下方向と、前記検出手段によって検出された姿勢とが一致する場合には、前記第１の動画の表示に引き続き前記第２の動画を表示し、前記第２の動画の上下方向と、前記検出手段によって検出された姿勢とが一致しない場合には、前記第１の動画の表示に引き続き前記第２の動画を停止した状態で表示するように制御することを特徴とする。
【発明の効果】
【００１７】
本発明によれば、落ち着いて動画の天地方向に表示部の姿勢を合わせる操作が可能であり、動画の冒頭部分から十分に動画を鑑賞することができる。
【図面の簡単な説明】
【００１８】
【図１】本発明の実施形態におけるデジタルカメラの外観構成例を示す斜視図である。
【図２】本発明の実施形態に係るデジタルカメラの内部構成例を示すブロック図である。
【図３】動画を再生するときのＬＣＤモニタの表示例を示す図である。
【図４】本発明の第１の実施形態において、動画を再生するときの表示動作の手順の一例を示すフローチャートである。
【図５】次の動画を再生する際に、動画の再生を一時停止している様子を示す図である。
【図６】本発明の第２の実施形態において、動画を再生するときの表示動作の手順の一例を示すフローチャートである。
【図７】一時停止せずに次の動画を表示する様子を示す図である。
【図８】一時停止せずに次の動画を回転縮小して表示する様子を示す図である。
【図９】横長の画像を撮影する場合の撮影姿勢の一例を示す図である。
【図１０】縦長の画像を撮影する場合の撮影姿勢の一例を示す図である。
【図１１】横位置画像を横位置姿勢で表示している様子を示す図である。
【図１２】縦位置画像を横位置姿勢で表示している様子を示す図である。
【図１３】縦位置画像を縦位置姿勢で表示する様子を示す図である。
【図１４】横位置画像を縦位置姿勢で表示する様子を示す図である。
【発明を実施するための形態】
【００１９】
以下、図１から図８を参照しながら本発明の実施形態を説明する。
（第１の実施形態）
まず、図１及び図２を参照しながら、本実施形態に係る動画再生装置の一例としてデジタルカメラの構成について説明する。
図１は、本実施形態におけるデジタルカメラ１００の外観構成例を示す斜視図である。図１（Ａ）は、デジタルカメラ１００の前面側を示す斜視図であり、図１（Ｂ）は、デジタルカメラ１００の背面側を示す斜視図である。また、図２は、本実施形態に係るデジタルカメラ１００の内部構成例を示すブロック図である。
【００２０】
図１（Ａ）に示すように、デジタルカメラ１００は直方体の筐体を持ち、該筐体の一面（デジタルカメラ１００の前面）からレンズ鏡筒部１０２が伸長している。レンズ鏡筒部１０２は複数の円筒部材で構成され、それらは図３に示すモータ２０１で駆動される不図示のカム機構によって連動伸縮する。レンズ鏡筒部１０２には、複数のレンズが組み込まれており、レンズ鏡筒部１０２の伸縮によって撮像光学系を成すレンズ群の一部を移動させ、焦点距離を自由に変化させることができる、いわゆる光学ズーム機構が構成されている。また、非撮影時には、レンズ鏡筒部１０２を縮めて筐体内に収納し、出没自在なバリア部材（不図示）で遮蔽されるなどによって、レンズ面１０３を保護すると共に可搬性を高めた沈胴式レンズが採用されている。また、デジタルカメラ１００の前面には、不図示のフラッシュ発光部やＡＦ（オートフォーカス）の補助光発光部など、光学的補器が配置されている。
【００２１】
さらに、デジタルカメラ１００の天面には、電源をＯＮ／ＯＦＦする電源スイッチ１０７と、ズーム機構を駆動させ撮影画角を操作するためのズームレバー１０８、及び画像の撮影開始、停止を指示するレリーズスイッチ１０９とが配置されている。
【００２２】
一方、図１（Ｂ）に示すように、デジタルカメラ１００の背面、すなわちレンズ配置面の反対面には、表示部として画像を表示するＬＣＤモニタ１０４、及びデジタルカメラ１００の動作モードを切り替えるモード切替スイッチ１０５が配置されている。さらに、ＬＣＤモニタ１０４に重ね合わせるようにしてタッチパネル装置１０６が配置されている。
【００２３】
また、図２において、デジタルカメラ１００の各操作部材がユーザーにより操作されると、入力信号が制御部２０２に入力され、制御部２０２は入力信号に応じてデジタルカメラ１００の各部を駆動制御する。例えば、電源スイッチ１０７を操作することによって所定の入力信号が制御部２０２に入力され、制御部２０２が起動する。そして、制御部２０２はモード切替スイッチ１０５の状態を検出し、設定されている動作モードに応じて各部の制御を行う。ここで、動作モードは、静止画撮影モード、動画撮影モード、及び画像再生モードを含むものとする。
【００２４】
モード切替スイッチ１０５が静止画撮影モードまたは動画撮影モードに設定されている時は、制御部２０２は電源ＯＮに応じてモータ２０１を駆動制御し、レンズ鏡筒部１０２を伸長させる。また、撮像素子２０３を含むカメラ部を起動し、撮影待機状態とする。さらに、モニタ画像生成部２０７は、カメラ部で捉えた被写体像を、画像処理部２０８を介してリアルタイムにモニタ画像としてＬＣＤモニタ１０４に表示する。
【００２５】
また、制御部２０２は、メモリ制御部２０４を介して記録媒体であるメモリカード２０５の記録状態を検出する。そして、検出した残容量と現在の撮影モードから算出した撮影可能量とを、キャラクタジェネレータ２０６で生成するキャラクタとしてモニタ画像生成部２０７にて生成したモニタ画像に重畳するよう制御する。ここで撮影可能量とは、静止画撮影モードにおいては撮影可能な残り枚数であり、動画撮影モードにおいては撮影可能な残り時間である。また同様に、電源であるバッテリ（不図示）の残容量から算出した残り使用可能時間もキャラクタとしてモニタ画像に重畳するよう制御する。モニタ画像生成部２０７は、後述する再生画像の回転、縮小処理を行う。
【００２６】
レリーズスイッチ１０９が操作されると、撮像素子２０３を介して得られた画像データを画像処理部２０８にて所定の画像形式に変換し、メモリ制御部２０４を介してメモリカード２０５へ記録する。ここで所定の画像形式とは、静止画撮影モードにおいてはＪＰＥＧなどの静止画フォーマットであり、動画撮影モードにおいてはＭＰＥＧやＡＶＩなどの動画フォーマットである。画像データは、レリーズスイッチ１０９の操作毎に別々のファイルとしてメモリカード２０５に保存され、連番などユニークなファイル名を付与して管理される。
【００２７】
一方、モード切替スイッチ１０５が再生モードに設定されている時は、前述したようにレンズ鏡筒部１０２は収納される。また、制御部２０２はメモリ制御部２０４へアクセスし、メモリカード２０５から画像データを読み出す。読み出された画像データは、モニタ画像生成部２０７にて静止画、動画の種別に従って所定の再生表示形式に展開し、ＬＣＤモニタ１０４に表示される。その後、ユーザーの操作に応じ、あるいは撮影時の時系列などに従って、メモリカード２０５に記録された画像データを順次読み出してＬＣＤモニタ１０４に表示する。
【００２８】
ＬＣＤモニタ１０４には、デジタルカメラ１００の動作モードに応じてキャラクタジェネレータ２０６で生成された操作アイコンが表示され、操作アイコンはタッチパネル装置１０６を透過して視認することができる。ユーザーがＬＣＤモニタ１０４に表示された操作アイコンを狙って指などでタッチパネル装置１０６に触れると、タッチパネル装置１０６は、ユーザーが触れた位置に応じた信号を制御部２０２に送出する。制御部２０２は、タッチパネル装置１０６から信号が出力されることによって、ユーザーが触れた位置をＬＣＤモニタ１０４上の平面座標値に換算し、当該座標に表示した操作アイコンに関連付いた機能を実行する。再生モードにおいては、再生の開始、停止、次ファイルへのジャンプといった操作機能が提供される。
【００２９】
また、電源ＯＦＦ操作に応じて、制御部２０２はメモリ制御部２０４に対し終了処理を命ずる。そして、メモリ制御部２０４は、メモリカード２０５への接続を切断してユーザーによりメモリカード２０５を抜去できる状態にする。なお、メモリカード２０５へ記録中のデータがある場合には、記録を完了させた後に前記切断処理を行う。さらに、レンズ鏡筒部１０２が伸長している場合には収納し、レンズ部の収納に連動してバリアを閉じる。また、ＬＣＤモニタ１０４を消灯し、各部への電源供給を切断し、電源ＯＦＦ処理を終了する。
【００３０】
また、本実施形態に係るデジタルカメラ１００には、デジタルカメラ１００の姿勢を所定の時間間隔で検出する姿勢センサ２０９が搭載されている。デジタルカメラの姿勢とは、デジタルカメラ１００の撮影光軸を中心として筐体の４側面のうち、いずれの面が重力方向で上方に向く姿勢であるかを検出する。すなわち、図９に示す横位置姿勢、図１０に示す縦位置姿勢、及びそれぞれを撮影光軸回りに１８０°回転した姿勢の４つの姿勢を検出して判別する。また、姿勢センサ２０９は重力方向を基準としてデジタルカメラ１００の姿勢を判別可能なセンサであり、加速度センサや縦横検知センサなどにより構成されている。
【００３１】
静止画撮影モードまたは動画撮影モードにおいては、姿勢センサ２０９が検出したデジタルカメラ１００の姿勢情報を撮影により得られた画像データにフラグとして付与する。デジタルカメラ１００の撮影姿勢によって撮影画像の向きが決定されるため、画像データに付与された姿勢情報は、言い換えれば撮影画像の天地方向（上下方向）を表すことになる。
【００３２】
また、デジタルカメラ１００は、以下に説明する処理を実行させるためのプログラムを格納したＲＯＭ２１０と、当該プログラムを展開するためのＲＡＭ２１１とを備えている。
【００３３】
本実施形態に係るデジタルカメラ１００は、画像データに付与した姿勢情報と、現在のデジタルカメラ１００の姿勢情報とを制御部２０２にて比較照合し、ＬＣＤモニタ１０４への画像の表示方法を変更する。
【００３４】
図３は、本実施形態において、動画を再生するときのＬＣＤモニタ１０４の表示例を示す図である。
図３（Ａ）に示す例は、（Ｎ−１）番目の動画を再生している際の表示例であり、デジタルカメラ１００は横位置姿勢であり、横位置画像の動画を表示している。
【００３５】
第１の動画である（Ｎ−１）番目の動画の再生が終わると、第２の動画であるＮ番目の動画の再生を開始する。Ｎ番目の動画が縦位置画像である場合は、現在のデジタルカメラ１００の姿勢と一致しないため、図３（Ｂ）に示すように、デジタルカメラ１００の姿勢に合わせて回転縮小したＮ番目の動画の最初のフレーム画像を表示し、動画の再生を一時停止する。この時、一時停止状態を表す一時停止アイコン３０１と、動画を撮影した時のデジタルカメラ１００の姿勢を示す方向アイコン３０２とを、キャラクタジェネレータ２０６で生成し、モニタ画像生成部２０７により画像に重畳する。そして、図３（Ｃ）に示すようにデジタルカメラ１００を９０°回転させると、動画の再生を開始する。なお、方向アイコン３０２は矢印形状とし、撮影時に上であった側を指し示すようにする。
【００３６】
また、方向アイコンの別の例としては、図３（Ｄ）に示すアイコン３０３のように、どちらの方向にデジタルカメラ１００本体を回転させると動画の天地方向と一致させることができるかを示すものでもよい。
【００３７】
次に、図４に示すフローチャートを参照しながら、デジタルカメラ１００による動画を再生するときの表示動作について説明する。
図４は、本実施形態において、動画を再生するときの表示動作の手順の一例を示すフローチャートである。なお、図４に示す各処理は、制御部２０２の制御により行われ、具体的にはＲＯＭ２１０に格納されたプログラムがＲＡＭ２１１へ展開されることによって当該プログラムに係る処理が実行される。
【００３８】
まず、モード切替スイッチ１０５が画像再生モードに設定されるか、もしくは画像再生モードで電源がＯＮにされると処理を開始する（ステップＳ４０１）。そして、ユーザーにより再生開始操作が行われたことを検出するまで待機する（ステップＳ４０２）。ユーザーにより再生開始操作が行われたことを検出すると、所定の時間間隔で姿勢センサ２０９の出力を監視し、現在のデジタルカメラ１００の姿勢を判別する（ステップＳ４０３）。なお、本実施形態に係るデジタルカメラ１００には、ＬＣＤモニタ１０４が一体に構成されているため、デジタルカメラ１００の姿勢をそのままＬＣＤモニタ１０４の姿勢に置き換えることができる。
【００３９】
次に、メモリカード２０５に記録されているデータから、使用者の操作に応じた最初の再生対象である動画データを読み出す。このとき、動画データに付与された撮影時の姿勢情報、すなわち動画の天地方向を示す情報も取得する（ステップＳ４０４）。なお、動画データに天地方向を示す情報が付加されていない場合には、動画を回転せずに表示した場合の表示方向が動画の天地方向であるものとみなす。
【００４０】
次に、ステップＳ４０３で判別したデジタルカメラ１００の姿勢と、ステップＳ４０４で取得した動画の天地方向とを比較する（ステップＳ４０５）。この比較の結果、デジタルカメラ１００の姿勢と動画の天地方向とが一致しない場合は、モニタ画像生成部２０７により、動画の最初のフレーム画像をデジタルカメラ１００の現在の姿勢に天地が合うように回転処理する。さらに、ＬＣＤモニタ１０４と動画の縦横サイズとが一致しない場合には、画像の長辺長さがモニタ画面の短辺長さに適合するように縮小したレターボックス表示を行う。そして、この表示状態で再生処理を一時停止する。このとき、一時停止状態を表すアイコンと、動画を撮影した時のデジタルカメラ１００の姿勢を示す方向アイコンとを、キャラクタジェネレータ２０６で生成し、モニタ画像生成部２０７により画像に重畳する（ステップＳ４０６）。
【００４１】
その後、姿勢センサ２０９の出力を所定の時間間隔で監視し、デジタルカメラ１００の姿勢が変化するまで待機する（ステップＳ４０７）。なお、デジタルカメラ１００の姿勢が変化しないまま、ユーザーから動画の再生指示操作を受け付けた場合には、回転及び縮小した状態のまま動画の再生を開始してもよい。
【００４２】
図５（Ａ）に示す（Ｎ−１）番目の動画の表示が終了すると、ステップＳ４０６では、図５（Ｂ）に示すようなＮ番目の動画の最初のフレーム画像が表示され、動画の再生を一時停止した状態で表示される。このとき、一時停止アイコン３０１及び方向アイコン３０２とともに再生アイコン５０１が表示される。ユーザーが再生アイコン５０１に触れると、タッチパネル装置１０６で接触を検出し、一時停止状態を解除して動画の再生を開始する。この場合、デジタルカメラ１００の姿勢と動画の天地方向とが一致しないため、図５（Ｃ）に示すように、モニタ画像生成部２０７により最初のフレーム画像と同じように動画を回転縮小処理して表示画像を生成する。
【００４３】
ステップＳ４０７でデジタルカメラ１００の姿勢の変化を検出すると、再度、デジタルカメラ１００の現在の姿勢と動画の天地方向とを比較する（ステップＳ４０８）。この比較の結果、デジタルカメラ１００の現在の姿勢と動画の天地方向とが一致しない場合は、動画の最初のフレーム画像をデジタルカメラ１００の現在の姿勢に合わせて回転縮小して表示し（ステップＳ４１２）、動画の再生一時停止状態を維持する。
【００４４】
一方、ステップＳ４０８の比較の結果、デジタルカメラ１００の現在の姿勢と動画の天地方向とが一致した場合、すなわちＮ番目の動画をそのまま表示できる状態になった場合は、再生を開始する（ステップＳ４０９）。なお、動画の天地方向が逆の時にも動画の縦横とデジタルカメラ１００の縦横、すなわちＬＣＤ画面の縦横が一致することから、このような場合にも再生を開始してよい。その場合、そのまま動画を表示すると天地が反転してしまうため、モニタ画像生成部２０７により動画を１８０°回転処理した画像を生成する。
【００４５】
一方、ステップＳ４０５の比較の結果、デジタルカメラ１００の現在の姿勢と動画の天地方向とが一致する場合も、モニタ画像生成部２０７によりそのまま動画を表示する（ステップＳ４０９）。そして、動画の再生が終了したか否かを判別する（ステップＳ４１０）。この判別の結果、再生が終了していない場合はステップＳ４０９に戻り、動画の再生を継続する。一方、ステップＳ４１０の判別の結果、再生が終了した場合は、次の動画を再生する準備状態に移行し（ステップＳ４１１）、ステップＳ４０２に戻る。
【００４６】
以上のように、本実施形態のデジタルカメラ１００においては、デジタルカメラ１００の姿勢と動画の天地方向とが一致しない場合に、動画の再生を一時停止する。さらに、該動画の天地方向にデジタルカメラ１００の姿勢を合わせるよう促す表示を行い、天地方向が一致した時に、再生を開始する。これにより、ユーザーが装置の持ち方を変えている間に動画再生が進んでしまって、ユーザーが装置の持ち方を変えるまでの動画期間を見逃すということを防ぎ、適切な姿勢で動画を冒頭から鑑賞することができる。また、再生装置の姿勢に合わせた動画の回転処理は、動画の再生途中で行われることがないように、動画の停止中に行われるようにしたので、動画の再生途中で動画が回転されて見難くなることも防止できる。さらに、横長画面の動画と、縦長画面の動画とが不規則に並ぶ場合でも、落ち着いてデジタルカメラの姿勢を合わせることができる。さらに、デジタルカメラの姿勢が動画の天地方向に一致した時に再生を開始するため、最適な姿勢で画像を鑑賞できるとともに再生開始操作が不要であり、利便性を高めることができる。
【００４７】
なお、本実施形態においては、デジタルカメラ１００で撮影した動画を例に説明した。一方、外部機器から取り込んだ動画データや、インターネットからダウンロードした動画データ、外部の撮像装置で撮像されている動画データをほぼリアルタイムに受信した動画データであっても適用できる。
【００４８】
（第２の実施形態）
次に、本発明の第２の実施形態について説明する。なお、本実施形態に係るデジタルカメラの構成については第１の実施形態の図１及び図２に示した構成と同様であるため、説明を省略する。
【００４９】
図６は、本実施形態において、動画を再生するときの表示動作の手順の一例を示すフローチャートである。なお、図６に示す各処理は、制御部２０２の制御により行われ、具体的にはＲＯＭ２１０に格納されたプログラムがＲＡＭ２１１へ展開されることによって当該プログラムに係る処理が実行される。また、図６のフローチャートにおいて、図４のフローチャートと同一の動作である部分については同一の符号を付しており、これらの処理については第１の実施形態と同様であるため、説明は省略する。
【００５０】
ステップＳ４０４の処理が終了すると、ステップＳ６０１において、再生の対象であるＮ番目の動画の天地方向と、前回再生した（Ｎ−１）番目の動画の天地方向とを比較する。この比較の結果、Ｎ番目の動画の天地方向と直前の（Ｎ−１）番目の動画の天地方向とが同一である場合は、次のステップＳ６０３に進む。そして、後述するステップＳ６０９で記憶している（Ｎ−１）番目の動画の再生終了時点のデジタルカメラ１００の姿勢と、ステップＳ４０３で判別した現在のデジタルカメラ１００の姿勢とを比較する（ステップＳ６０２）。この比較の結果、姿勢が一致する場合は、さらに現在のデジタルカメラ１００の姿勢とステップＳ４０４で取得したＮ番目の動画の天地方向とを比較する（ステップＳ６０３）。
【００５１】
ステップＳ６０３の比較の結果、デジタルカメラ１００の現在の姿勢とＮ番目の動画の天地方向とが一致する場合は、そのまま動画を再生して表示する（ステップＳ６０４）。つまり、ここまでの処理によって、直前の動画では、動画の天地方向とデジタルカメラ１００の姿勢とが合致した状態で再生していたことが分かる。このため、今回の動画も同様に再生して問題が無いと判断できる。図７（Ａ）及び図７（Ｂ）には、動画を一時停止せずに再生して表示された様子を示している。
【００５２】
一方、ステップＳ６０３の比較の結果、デジタルカメラ１００の現在の姿勢とＮ番目の動画の天地方向とが一致しない場合は、後述するステップＳ６０７に進む。この場合には、ここまでの処理によって、直前の動画では動画の天地方向とデジタルカメラ１００の姿勢とが合致しない状態、すなわち、図８（Ａ）に示すように回転縮小した動画を表示していたことが分かる。このことから、ユーザーは動画を回転縮小した状態で動画を表示することを受け入れていると判断できる。したがって、モニタ画像生成部２０７によりＮ番目の動画に直前の動画と同じように回転縮小処理を施す（ステップＳ６０７）。そして、一時停止せず回転縮小した動画を表示する（ステップＳ６０４）。図８（Ａ）及び図８（Ｂ）には、動画を一時停止せずに再生して表示された様子を示している。
【００５３】
その後は、姿勢センサ２０９の出力を監視し、デジタルカメラ１００の姿勢が変化したか否かを判別する（ステップＳ６０５）。この判別の結果、姿勢に変化がない場合はステップＳ６０６に進み、姿勢に変化があった場合は、モニタ画像生成部２０７により変化した姿勢に合わせて動画の回転変倍処理を行いながら動画の再生を続ける（ステップＳ６０８）。そして、動画の再生が終了したか否かを判別する（ステップＳ６０６）。この判別の結果、再生が終了していない場合はステップＳ６０５に戻り、動画の再生を継続する。一方、ステップＳ６０６の判別の結果、再生が終了した場合は、その時の姿勢センサ２０９の出力を監視し、再生終了時における姿勢情報をＲＡＭ２１１に記憶する（ステップＳ６０９）。そして、次の動画を再生する準備状態に移行し（ステップＳ４１１）、ステップＳ４０２に戻る。
【００５４】
また、ステップＳ６０１の比較の結果、今回（Ｎ番目）の動画の天地方向と直前（（Ｎ−１）番目）の動画の天地方向とが一致しない場合は、ステップＳ４０５に進む。なお、１番目の動画を再生する場合は、直前の動画が存在しないため、ステップＳ６０１からステップＳ４０５に進む。また、ステップＳ６０２の比較の結果、直前の動画の再生終了時点のデジタルカメラ１００の姿勢と現在のデジタルカメラ１００の姿勢とが一致しない場合も、ステップＳ４０５に進む。
【００５５】
このようにステップＳ６０１の比較において、今回（Ｎ番目）の動画の天地方向と直前（（Ｎ−１）番目）の動画の天地方向とが一致しない時は、直前の動画の再生状態を継承して良いかどうかの判断はしづらい。そこで、第１の実施形態と同様に、再生を一時停止してユーザーの意思を確認する動作に戻るようにする。
【００５６】
また、ステップＳ６０２の比較において、直前の動画の再生終了時点のデジタルカメラ１００の姿勢と現在のデジタルカメラ１００の姿勢とが一致しない場合は、直前の動画の再生が終了した後に姿勢が変化したことを示している。このことから、直前の動画の再生状態を継承して良いかどうかは判断ができないため、第１の実施形態と同様に、再生を一時停止してユーザーの意思を確認する動作に戻るようにする。
【００５７】
以上のように本実施形態によれば、直前の動画が回転縮小を施して表示され、今回の動画の天地方向が直前の動画の天地方向と同一であるときには、再生を一時停止せずに回転縮小した動画にて再生処理を続行する。これにより、第１の実施形態の例よりも一時停止を行わず再生を続けるので、より煩わしさを軽減することができる。
【００５８】
（その他の実施形態）
なお、制御部２０２の制御は１つのハードウェアが行ってもよいし、複数のハードウェアが処理を分担することで、装置全体の制御を行ってもよい。
【００５９】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００６０】
また、上述した実施形態においては、本発明をデジタルカメラに適用した場合を例にして説明したが、これはこの例に限定されず表示画面の向きを頻繁に変更できる表示制御装置であれば適用可能である。すなわち、本発明は携帯電話端末や携帯型の画像ビューワなどに適用可能である。
【００６１】
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
2014110562.tif 000003
【図２】
2014110562.tif 000004
【図３】
2014110562.tif 000005
【図４】
2014110562.tif 000006
【図５】
2014110562.tif 000007
【図６】
2014110562.tif 000008
【図７】
2014110562.tif 000009
【図８】
2014110562.tif 000010
【図９】
2014110562.tif 000011
【図１０】
2014110562.tif 000012
【図１１】
2014110562.tif 000013
【図１２】
2014110562.tif 000014
【図１３】
2014110562.tif 000015
【図１４】
2014110562.tif 000016